(57)【要約】【目的】各受信装置に適した情報をユーザ操作無しで提供することができるディジタル放送受信装置を提供する。【構成】ディジタル放送受信装置３０は、ディジタル放送波を受信し、それに含まれる各種情報を取得して処理する。メモリ１３には受信装置情報が格納されている。受信装置情報としては、型式情報、メーカ情報、画面サイズ情報、及び搭載ソフトウェア情報の一つ以上が含まれる。データ放送データにより動作するブラウザ１６からの要求に応じてメモリ１３から受信装置情報が読み出され、ブラウザ１６は受信装置情報に応じてファイルを自動選択し、例えば受信装置の画面サイズに合った画像提示を行う。【選択図】　　　　図１
2004080124.tif 000002
【特許請求の範囲】
【請求項１】
ディジタル放送波を受信し、それに含まれる各種情報を取得して処理するようにしたディジタル放送受信装置において、受信装置情報が格納された記憶手段と、受信装置情報に応じて選択可能な情報を受信したときに当該受信装置の受信装置情報に基づいて情報を選択する手段と、選択した情報の音声出力及び／又は映像出力を行う手段と、を備えたことを特徴とするディジタル放送受信装置。
【請求項２】
ディジタル放送波を受信し、それに含まれる各種情報を取得して処理するようにしたディジタル放送受信装置において、受信装置情報が格納された記憶手段を備え、データ放送データにより動作するブラウザからの要求に応じて記憶手段から受信装置情報を提供するように構成されたことを特徴とするディジタル放送受信装置。
【請求項３】
請求項１又は請求項２に記載のディジタル放送受信装置において、受信装置情報として、型式情報、メーカ情報、画面サイズ情報、及び搭載ソフトウェア情報の一つ以上を含むことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
【発明が解決しようとする課題】
ところで、ディジタル放送では、データ放送も実現されており、特に番組連動型のデータ放送では、放送されている番組で用いた家電製品などの商品についての商品説明（商品広告）などの画像提示も行えるようになっている。しかしながら、この画像提示において、例えば二つの画像を同時表示させようとすると、大きな画面サイズの受信機で視聴している場合には問題ないとしても、小さな画面サイズの受信機で視聴している場合には画像が見難くなることが考えられる。また、プロジェクタタイプの受信機のユーザにはそれ用に開発したホームシアター設備の商品宣伝を行いたいし、プラズマディスプレイ受信機のユーザにはそれ用に開発したホームシアター設備の商品宣伝を行いたいとしても、そのような要求を満たす商品宣伝は実現されるに至っていない。一方、データ放送画面上での商品宣伝の選択をユーザ（視聴者）に行わせることで、ユーザに対応した商品宣伝を行うことは可能となるが、これではユーザが選択操作を行う必要が生じる。
【０００４】
この発明は、上記の事情に鑑み、各受信装置に適した情報をユーザ操作無しで提供することができるディジタル放送受信装置を提供することを目的とする。
【０００５】
【課題を解決するための手段】
この発明のディジタル放送受信装置は、上記の課題を解決するために、ディジタル放送波を受信し、それに含まれる各種情報を取得して処理するようにしたディジタル放送受信装置において、受信装置情報が格納された記憶手段と、受信装置情報に応じて選択可能な情報を受信したときに当該受信装置の受信装置情報に基づいて情報を選択する手段と、選択した情報の音声出力及び／又は映像出力を行う手段と、を備えたことを特徴とする。
【０００６】
また、この発明のディジタル放送受信装置は、ディジタル放送波を受信し、それに含まれる各種情報を取得して処理するようにしたディジタル放送受信装置において、受信装置情報が格納された記憶手段を備え、データ放送データにより動作するブラウザからの要求に応じて記憶手段から受信装置情報を提供するように構成されたことを特徴とする。
【０００７】
これらの構成であれば、放送局側で各タイプの受信装置に適した情報をディジタル放送波に載せて送出することで、各受信装置は自装置に合った情報を自動選択し、ユーザ操作無しで画面提示等することになる。
【０００８】
受信装置情報として、型式情報、メーカ情報、画面サイズ情報、及び搭載ソフトウェア情報の一つ以上を含むのがよい。
【０００９】
【発明の実施の形態】
以下、この発明の実施形態を図１乃至図３に基づいて説明するが、ここではユーザーがＢＳ（Ｂｒｏａｄｃａｓｔｉｎｇ　Ｓａｔｅｌｌｉｔｅ）ディジタル放送を視聴する場合を例示している。図１はこの実施形態のディジタル放送受信装置３０を示したブロック図であり、図２は受信装置情報に基づく情報選択を概念的に示した説明図であり、図３は受信装置情報に基づく情報選択処理内容を示したフローチャートである。
【００１０】
図１に示すアンテナ１は、屋外において所定の方向に向けて配置されており、ＢＳから送られてくるディジタル放送波を受信する。このアンテナ１は、一般に周波数変換器を備え、受信／周波数変換した信号をＢＳディジタルチューナ２に与える。
【００１１】
ＢＳディジタルチューナ２は受信した高周波ディジタル変調信号のうちから特定周波数の信号を取り出す。すなわち、ディジタル放送の複数あるトランスポンダの中から一つを選択する処理を行う。また、このチューナ２は、復調回路、逆インタリーブ回路、誤り訂正回路などを備えることにより、選択したディジタル変調信号を復調してトランスポート・ストリームを出力する。
【００１２】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）、データ放送データ等に分離する。デマルチプレクサ３は、ビデオストリームとオーディオストリームをＡＶデコーダ４に供給し、ＰＳＩ／ＳＩに含まれる番組情報等をＣＰＵ１２に供給し、データ放送データを検出するとブラウザ（データ放送処理部）１６にデータ放送データの処理を要求する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１３】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。
【００１４】
映像処理回路５は、ＡＶデコーダ４から映像データを受け取り、Ｄ／Ａ変換を行って映像信号を生成する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００１５】
スケーラ／ＯＳＤ回路１１はブラウザ１６やＣＰＵ１２から出力指示された文字情報や色情報に基づく映像データを生成する回路であり、このスケーラ／ＯＳＤ回路１１により、前述の番組情報に基づくＥＰＧ（Ｅｌｅｃｔｒｏｎｉｃ　Ｐｒｏｇｒａｍ　Ｇｕｉｄｅ）表示、データ放送表示、メニュー画面表示などが行える。
【００１６】
受像機８は、ドライブ回路７から供給された映像信号（Ｒ，Ｇ，Ｂ信号及び垂直・水平同期信号）により映像表示を行う。また、スピーカ１４は音声処理回路６から出力された音声信号により音声出力を行う。
【００１７】
リモコン送信機９は、当該放送受像機３０に指令を送出するための送信機である。このリモコン送信機９に設けられた図示しないキーを操作すると、そのキーに対応した指令を意味する信号光（リモコン信号）が図示しない発光部から送出される。リモコン受光器１０は、前記信号光を受光し、これを電気信号に変換してＣＰＵ１２に与える。
【００１８】
メモリ（ＲＡＭ、ＥＥＰＲＯＭ、フラッシュメモリ等）１３には、番組表等を構成することになる情報、データ放送データ、受信装置情報（メーカ情報、型式情報、画面サイズ情報、搭載ソフトウェア情報等）などが格納される。前記型式情報により表示方式（ＣＲＴ／プラズマ／液晶プロジェクタ等の別）など、その他性能等が分かるものとする。なお、メモリ１３には放送事業者ごとの専用領域や共通使用領域が設定されるが、前記受信装置情報を共通使用領域に格納しておくようにしてもよい。受信装置情報は、当該受信装置３０のメーカがメモリ３４に予め記憶させるが、受信装置がセットトップボックスタイプであるときには、これに接続されるモニタの画面サイズ情報はユーザに入力させるようにすればよい。また、搭載ソフトウェアのバージョンアップがダウンロードによってなされる場合には、受信装置がその情報をメモリに自動的に格納することになる。
【００１９】
ＩＣカード１５ａ（例えばＢＳディジタル放送のＢ−ＣＡＳカード）は、有料放送を視聴可能にするための鍵情報や番組毎に課金対象となるＰＰＶ（ペイ・パー・ビュー）番組の購入履歴情報などを格納する。ＣＡ（Ｃｏｎｄｉｔｉｏｎａｌ　Ａｃｃｅｓｓ）モジュール１５は、ＣＰＵ１２とＩＣカード１５ａとの間で諸情報の書き込み処理や読み出し処理を行う。
【００２０】
ＣＰＵ１２は、このディジタル放送受信装置３０における全体制御を行うものであるが、特にこの発明にかかる制御として以下の受信装置情報に基づく情報選択処理を実行するようになっている。
【００２１】
図２は放送局から送られてくるデータ放送データの内容を示すと共に、受信装置Ａ・Ｂ・Ｃにおける受信装置情報に基づく情報選択処理による表示画面例を示した説明図である。なお、受信装置情報として、受信装置Ａには「○△社製／２４インチ」が、また受信装置Ｂには「×○社製／５０インチ」が、各受信装置のメモリに記憶されている。そして、受信装置Ｃには受信装置情報が格納されていないものとする。
【００２２】
ブラウザ１６はデータ放送データであるＢＭＬファイルの記述に基づいて画面構成を行うが、ＢＭＬファイルとしてはトップページだけでなく複数のファイル（図２の例であれば、画像ファイルＡ，Ｂ，Ｃ，Ｄ，Ｅ等）も同時に取り込んでメモリに保持されており、通常はユーザ操作でファイルが読み出されるのであるが、この発明では、ＢＭＬファイルに記述されたスクリプト言語（ＳｃｒｉｐｔＬａｎｇｕａｇｅ）により、受信装置情報に応じてファイルを自動選択して画面提示するようにしている。図２の例では、トップページとして「この受信機にとって最適な情報を選んでいます」といった表記を行うＢＭＬファイルにより例えば１秒間行い、その後に受信装置情報に応じて選択したファイルを画面提示している。勿論、トップページにおいて、ＢＭＬファイル内で処理を行うことにより、当該トップページは表示されずに直ぐに受信装置に対応した画面構成で表示が行われることになる。なお、ブラウザ（データ放送処理部）は受信装置に搭載されているＡＰＩ（アプリケーション・プログラミング・インターフェイス）によってメモリにアクセスすることができる。また、放送局側では、予め受信装置の製造メーカ名、型式、画面サイズ情報などにより視聴者（受信装置）を所定グループに分け、このグループに従って表示するデータが決定されるようにＢＭＬファイルを記述しているものとする。
【００２３】
図２のフローチャートに基づいて受信装置情報に基づく情報選択処理を簡潔に説明する。ブラウザ（データ放送処理部）から受信装置情報の提示要求によってＡＰＩによりメモリアクセスが行われて受信装置情報が読み出される（ステップＳ１）。この受信装置情報によって画面構成の変更が必要であるかどうかを判断する（ステップＳ２）。変更が必要である場合には、読み出した受信装置情報をもとに表示映像を決定する（ステップＳ３）。画面構成の変更が必要でない場合には、受信装置情報に依存せず受信した基本画面を出力する（ステップＳ４）。
【００２４】
なお、受信装置情報に基づくデータ放送データ上での情報選択処理に限らず、例えば、番組間に挿入されるコマーシャル（ＣＭ）映像についても幾つかを多重しておき、受信装置情報に基づいて一つのコマーシャル映像をデマルチプレクサ３でフィルタリングするといったことも可能である。また、メーカ情報に基づく情報選択としては、例えば、家電店が○○社製のホームシアターと△△社製のホームシアターの特売広告を行う場合において、○○社製のホームシアターは○○社製の受信装置のユーザに広告し、△△社製のホームシアターは△△社製の受信装置のユーザに広告したいとする例が考えられ、型式情報に基づく情報選択としては、型式に対応した付属製品についてその対応型式の受信装置のユーザごとに広告したいとする例が考えられ、搭載ソフトウェア情報に基づく情報選択としては、搭載ソフトウェアに対応したアプリケーション製品についてその対応ソフトウェア搭載受信装置のユーザごとに広告したいとする例が考えられる。
【００２５】
【発明の効果】
以上説明したように、この発明によれば、放送局側で各タイプの受信装置に適した情報をディジタル放送波に載せて送出することで、各受信装置は自装置に合った情報を自動選択し、ユーザ操作無しで選択情報の画面提示等がなされるという効果を奏する。
【図面の簡単な説明】
【図１】この発明の実施形態のディジタル放送受信装置を示すブロック図である。
【図２】この発明の実施形態の受信装置情報に基づくデータ放送データ上での情報選択処理の概要を示した説明図である。
【図３】この発明の実施形態の処理を示したフローチャートである。
【符号の説明】
１　　アンテナ
２　　ＢＳディジタルチューナ
３　　デマルチプレクサ（ＤＥＭＵＸ）
４　　ＡＶデコーダ
１１　ＯＳＤ回路
１２　ＣＰＵ
１３　メモリ
１５　ＣＡモジュール
１５ａＩＣカード
【図１】
2004080124.tif 000003
【図２】
2004080124.tif 000004
【図３】
2004080124.tif 000005